(57)【特許請求の範囲】
【請求項１】
ネットワークに接続するための通信部材と、
識別情報が記憶されたタグと、
前記識別情報を記憶保持する記憶部と、
情報要求コマンドが供給されたときに、前記記憶部の前記識別情報と前記通信部材の接
続情報とを前記ネットワークを介して送信する情報送信部と、を有し、
前記識別情報は、前記接続情報と異なる情報であり、
前記接続情報は、前記通信部材のＭＡＣアドレスであることを特徴とするプリンター。
【請求項２】
請求項１において、
前記情報要求コマンドは、前記ネットワークを介して供給され、
前記情報送信部は、前記ネットワークに接続された前記通信部材の前記接続情報を送信
することを特徴とするプリンター。
【請求項３】
ネットワークに接続された情報機器から当該情報機器が備えるタグに記録された識別情
報を読み取る読取部と、
前記情報機器が記憶保持する前記識別情報および当該情報機器の接続情報を、前記ネッ
トワークを介して取得する情報取得部と、
前記読取部によって読み取った前記識別情報と、前記ネットワークを介して取得した前
記識別情報および前記接続情報と、に基づいて前記情報機器との間の通信設定を行う設定
部と、を有し、
前記接続情報は、前記情報機器のＭＡＣアドレスであることを特徴とする通信端末。
【請求項４】
請求項３において
前記情報取得部は、前記識別情報および前記接続情報を要求する情報要求コマンドを前
記ネットワークにブロードキャストするコマンド送信部を備えることを特徴とする通信端
末。
【請求項５】
請求項４において
前記情報取得部が取得した前記識別情報と前記接続情報とを対応づけて記憶保持する記
憶部を備えることを特徴とする通信端末。
【請求項６】
請求項３ないし５のうちのいずれかの項において、
前記情報機器は、前記ネットワークに接続するための通信部材を備えるプリンターであ
り、
前記接続情報は、前記通信部材のＭＡＣアドレスであることを特徴とする通信端末。
【請求項７】
ネットワークに接続された情報機器から当該情報機器が備えるタグに記録された識別情
報を読み取る読取部と、制御部と、を備える通信端末で動作するプログラムにおいて、
前記制御部を、
前記読取部を動作させて当該読取部が読み取った識別情報を取得する識別情報取得部と
、
前記情報機器が記憶保持する前記識別情報および当該情報機器の接続情報を、前記ネッ
トワークを介して取得する情報取得部と、
前記読取部によって読み取った前記識別情報と、前記ネットワークを介して取得した前
記識別情報および前記接続情報と、に基づいて前記情報機器との間の通信設定を行う設定
部と、
に機能させ、
前記接続情報は、前記情報機器のＭＡＣアドレスであることを特徴とするプログラム。
【発明の詳細な説明】
【技術分野】
【０００１】
本発明は、ネットワークに接続されるプリンター、プリンターなどの情報機器との間でネットワークを介した通信を行う通信端末、および、通信端末で動作するプログラムに関する。
【背景技術】
【０００２】
通信端末と、ネットワークを介して通信端末と接続されたプリンターとを備える印刷システムは特許文献１に記載されている。同文献のプリンターは、ＭＡＣアドレスが記録されたＮＦＣ（Ｎｅａｒ  Ｆｉｅｌｄ  Ｃｏｍｍｕｎｉｃａｔｉｏｎ：近距離無線通信）タグを備える。通信端末は近距離無線通信によってＮＦＣタグからＭＡＣアドレスを読み取り、読み取ったＭＡＣアドレスに基づいてプリンターとの間の通信設定を行う。
【先行技術文献】
【特許文献】
【０００３】
【特許文献１】特開２０１４−１６８２１５号公報
【発明の概要】
【発明が解決しようとする課題】
【０００４】
プリンターのＭＡＣアドレスは、プリンターをネットワークに接続するためのネットワークボードやネットワーク接続用のドングルなどに固有の値である。このため、修理などによってネットワークボードやネットワーク接続用のドングルなどの通信部材が交換されると、プリンターのＭＡＣアドレスは交換後の通信部材のＭＡＣアドレスに変更される。従って、プリンターの通信部材が製品の出荷時点のものとは異なるものに交換されている場合には、通信端末がプリンターのＮＦＣタグからＭＡＣアドレスを読み取って通信設定を行ったときに通信端末とプリンターの間で通信を確立できないという問題がある。
【０００５】
本発明の課題は、かかる点に鑑みて、通信部材が交換された場合でもタグから読み取った情報を用いて通信設定を行うことができるプリンターを提供することにある。また、このようなプリンターとの間で通信設定を行う通信端末および当該通信端末で動作するプログラムを提供することにある。
【課題を解決するための手段】
【０００６】
上記の課題を解決するために、本発明のプリンターは、ネットワークに接続するための通信部材と、識別情報が記憶されたタグと、前記識別情報を記憶保持する記憶部と、情報要求コマンドが供給されたときに、前記記憶部の前記識別情報と前記通信部材の接続情報とを前記ネットワークを介して送信する情報送信部と、を有し、前記識別情報は、前記接続情報と異なる情報であることを特徴とする。
【０００７】
本発明では、プリンターとの間でネットワークを介した通信を確立しようとする通信端末は、接続対象のプリンターが備えるタグから識別情報を読み取る。また、通信端末は、情報要求コマンドによって接続対象のプリンターから送信される識別情報と接続情報のセットを、ネットワークを介して、取得する。次に、通信端末は、タグから読み取った識別情報とネットワークを介して取得した識別情報と接続情報のセットを照合して、通信端末がタグを読み取ったプリンターの接続情報を特定する。その後、通信端末は、特定した接続情報に基づいて、プリンターとの間の通信設定を行う。
【０００８】
ここで、通信端末がタグから取得する識別情報は、プリンターの通信設定を行うために必要な通信部材の接続情報ではなく、ネットワークを介して通信端末が取得する接続情報が、接続対象のプリンターの接続情報であるか否かを特定するために用いられる情報である。従って、修理などによって通信部材を交換した場合でも、タグを付ける替えるなどしてタグの識別情報を変更する必要がない。また、タグから読み取った識別情報に基づいて接続対象のプリンターの接続情報（交換後の通信部材の接続情報）を特定できるので、特定した接続情報に基づいて通信設定を行えば、通信端末とプリンターとの通信を確立できる。
【０００９】
本発明において、通信端末と接続対象のプリンターとの間の通信設定を行うためには、前記接続情報は、前記通信部材のＭＡＣアドレスとすることが望ましい。
【００１０】
本発明において、前記情報要求コマンドは、前記ネットワークを介して供給され、前記情報送信部は、前記ネットワークに接続された前記通信部材の前記接続情報を送信することが望ましい。すなわち、プリンターが、情報要求コマンドの供給を受けたネットワークに接続された通信部材の接続情報を送信すれば、ネットワークを介して情報要求コマンドを供給した通信端末とプリンターとの間の通信設定を行うことが容易である。
【００１１】
次に、本発明の通信端末は、ネットワークに接続された情報機器から当該情報機器が備えるタグに記録された識別情報を読み取る読取部と、前記情報機器が記憶保持する前記識別情報および当該情報機器の接続情報を前記ネットワークを介して取得する情報取得部と、前記読取部によって読み取った前記識別情報と、前記ネットワークを介して取得した前記識別情報および前記接続情報と、に基づいて前記情報機器との間の通信設定を行う設定部と、を有することを特徴とする。
【００１２】
本発明では、通信端末は、情報機器のタグから識別情報を読み取るとともに、ネットワークを介して情報機器の識別情報と接続情報のセットを取得する。また、通信端末は情報機器のタグから読み取った識別情報とネットワークを介して取得した識別情報と接続情報のセットを照合して、通信端末がタグを読み取った情報機器の接続情報を特定する。従って、通信端末は、特定した接続情報に基づいて、通信端末がタグを読み取った情報機器との間の通信設定を行うことができる。
【００１３】
本発明において、前記情報取得部は、前記識別情報および前記接続情報を要求する情報要求コマンドを前記ネットワークにブロードキャストするコマンド送信部を備えることが望ましい。このようにすれば、接続情報が不明な情報機器からネットワークを介して識別情報と接続情報のセットを取得できる。
【００１４】
本発明において、前記情報取得部が取得した前記識別情報と前記接続情報とを対応づけて記憶保持する記憶部を備えることが望ましい。このようにすれば、通信設定が終了した後に通信端末が情報機器のタグから識別情報を読み取った場合などに、記憶部を参照してタグを読み取った情報機器の接続情報を取得できる。
【００１５】
本発明において、通信端末を用いて印刷システムを構築する場合には、前記情報機器は、前記ネットワークに接続するための通信部材を備えるプリンターであり、前記接続情報は、前記通信部材のＭＡＣアドレスとすることができる。ここで、接続情報を通信部材のＭＡＣアドレスとすれば、通信端末がプリンターとの間の通信設定を行うことが容易となる。
【００１６】
次に、本発明は、ネットワークに接続された情報機器から当該情報機器が備えるタグに記録された識別情報を読み取る読取部を備える通信端末で動作するプログラムにおいて、前記通信端末を、前記読取部を動作させて当該読取部が読み取った識別情報を取得する識別情報取得部と、前記情報機器が記憶保持する前記識別情報および当該情報機器の接続情報を前記ネットワークを介して取得する情報取得部と、前記読取部によって読み取った前記識別情報と、前記ネットワークを介して取得した前記識別情報および前記接続情報と、に基づいて前記情報機器との間の通信設定を行う設定部と、に機能させることを特徴とする。
【００１７】
本発明によれば、通信端末は情報機器のタグから識別情報を読み取るとともに、ネットワークを介して情報機器の識別情報と接続情報のセットを取得する。また、通信端末は情報機器のタグから読み取った識別情報とネットワークを介して取得した識別情報と接続情報のセットを照合して、通信端末がタグを読み取った情報機器の接続情報を特定する。従って、通信端末は、特定した接続情報に基づいて、通信端末がタグを読み取った情報機器との間の通信設定を行い、当該情報機器との間の通信を確立できる。
【図面の簡単な説明】
【００１８】
【図１】ＰＯＳシステムの概略システム構成図である。
【図２】ＰＯＳシステムの制御系のブロック図である。
【図３】プリンターと通信端末の間の通信設定動作の説明図である。
【発明を実施するための形態】
【００１９】
以下に図面を参照しながら本発明の実施形態を説明する。
【００２０】
（ＰＯＳシステム）
図１はＰＯＳシステムの概略システム構成図である。図２はＰＯＳシステムの制御系のブロック図である。ＰＯＳシステム(印刷システム）１は店舗に設置されて顧客の会計処理を行う。図１に示すように、ＰＯＳシステム１は、複数のプリンター２と、複数の通信端末３と、これらを接続するネットワーク４を有する。各通信端末３はＰＯＳ端末として用いられる。各プリンター２は、各通信端末３からの命令によりレシートなどを発行する。ネットワーク４は、無線ＬＡＮ６と、無線ＬＡＮ６を構築する複数のアクセスポイント７と、複数のアクセスポイント７を接続する有線ＬＡＮ８と、を備える。各通信端末３および各プリンター２は無線ＬＡＮ６のアクセスポイント７を介してネットワーク４に接続されている。
【００２１】
（プリンター）
プリンター２は、店舗のレジカウンターなどに設置される。プリンター２は直方体形状のケース１１を備える。プリンター２がレジカウンターに設置された設置姿勢において、顧客に対向するケース１１の側面の内側部分、または、ケース１１の上面の内側部分にはＮＦＣタグ１２が取り付けられている。ＮＦＣタグ１２は無線通信の国際規格であるＮＦＣ（Ｎｅａｒ  Ｆｉｅｌｄ  Ｃｏｍｍｕｎｉｃａｔｉｏｎ：近距離無線通信）用のデバイスであり、アンテナやＩＣチップなどを備える。ＮＦＣタグ１２はそのＩＣチップに識別情報を記憶する。識別情報はプリンター２に固有の値であり、本例では、プリンター２の製造番号である。
【００２２】
図２に示すように、プリンター２は、ＣＰＵを備える制御部１５を中心に構成されている。制御部１５の入力側には第１通信部１６および第２通信部１７が接続されている。制御部１５の出力側には、印刷ヘッド１８および搬送モーター１９が不図示のドライバーを介して接続されている。搬送モーター１９は、印刷ヘッド１８により印刷が施される印刷位置を経由する紙搬送路に沿ってレシート用紙を搬送する搬送機構の駆動源である。また、制御部１５には、ＮＶＲＡＭなどの不揮発性メモリーからなる記憶部２０が接続されている。
【００２３】
第１通信部１６は、無線ＬＡＮ６を介してプリンター２をネットワーク４に接続するための無線ＬＡＮ用ドングル（通信部材）２３を備える。無線ＬＡＮ用ドングル２３は固有のＭＡＣアドレス（接続情報）を有する。第２通信部１７は、有線ＬＡＮ８を介してプリンター２をネットワーク４に接続するためのネットワークカード（通信部材）２４を備える。ネットワークカード２４は当該ネットワークカード２４に固有のＭＡＣアドレス（接続情報）を有する。
【００２４】
本例では、店舗内に無線ＬＡＮ６用の複数のアクセスポイント７が設けられている。従って、プリンター２はネットワーク４への接続に第１通信部１６（無線ＬＡＮ用ドングル２３）を使用する。この一方で、プリンター２は、第２通信部１７（ネットワークカード２４）を使用しない。従って、プリンター２では、第１通信部１６が有効（動作可能状態）に設定され、第２通信部１７は無効（動作不能状態）に設定されている。
【００２５】
記憶部２０にはＮＦＣタグ１２と同一の識別情報が記憶保持されている。すなわち、記憶部２０にはプリンター２の製造番号が記憶保持されている。記憶部２０への識別情報の記録はプリンター２の出荷前の工程において行われる。すなわち、プリンター２は、出荷前の工程において、記憶部２０への識別情報の書き込みを行うためのプログラムが動作しているコンピューターに接続される。そして、このコンピューターがプリンター２に供給する識別情報書き込み命令により、ケース１１に貼り付けられたＮＦＣタグが記憶する識別情報と同一の識別情報が記憶部２０に書き込まれる。
【００２６】
制御部１５は、印刷制御部２７と情報送信部２８を備える。
【００２７】
印刷制御部２７は第１通信部１６または第２通信部１７を介して制御部１５に供給される印刷データを印刷する。より具体的には、印刷制御部２７は、制御部１５に印刷データが供給されると、印刷ヘッド１８および搬送モーター１９を駆動して、印刷位置を搬送されるレシート用紙に印刷データを印刷する。
【００２８】
情報送信部２８は、ネットワーク４を介して情報要求コマンドが供給されるときに、記憶部２０に記憶保持された識別情報とプリンター２のＭＡＣアドレスとをネットワーク４を介して送信する。プリンター２が送信するＭＡＣアドレスは、情報要求コマンドが供給されるネットワーク４に接続されている第１通信部１６（無線ＬＡＮ用ドングル２３）のＭＡＣアドレスである。なお、第２通信部１７が有効に設定され、プリンター２が有線ＬＡＮ８を介してネットワーク４に接続される場合には、情報送信部２８はプリンター２のＭＡＣアドレスとして第２通信部１７（ネットワークカード２４）のＭＡＣアドレスを送信する。
【００２９】
（通信端末）
通信端末３は、例えば、タブレットコンピューターである。通信端末３はＮＦＣ読取部３１とタッチパネル３２とを備える。ＮＦＣ読取部３１は無線通信の国際規格であるＮＦＣによりＮＦＣタグ１２に記録保持されている情報を読み取る。タッチパネル３２は通信端末３の入出力装置である。
【００３０】
通信端末３の制御系は、ＣＰＵやＲＡＭを備える制御部３５を中心に構成されている。制御部３５の入力側にはＲＯＭ３６が接続されている。ＲＯＭ３６には、ＯＳ３７（Ｏｐｅｒａｔｉｎｇ  Ｓｙｓｔｅｍ：基本ソフト）が記憶保持されている。また、ＲＯＭ３６には、通信設定用アプリケーションプログラム３８および会計処理用アプリケーションプログラム３９が記憶保持されている。また、制御部３５には通信端末３をネットワーク４に接続するための通信部４１と不揮発性メモリー（記憶部）４２が接続されている。通信部４１によって通信端末３は無線ＬＡＮ６に接続される。不揮発性メモリー４２には、ネットワーク４を介した通信を行うためのアドレス管理テーブル４３が記憶保持される。さらに、制御部３５には、ＮＦＣ読取部３１およびタッチパネル３２が不図示のドライバーを介して接続されている。
【００３１】
制御部３５は、ＲＯＭ３６に記憶保持された通信設定用アプリケーションプログラム３８がＣＰＵに読み込まれて実行されることにより通信設定部４５として機能する。また、制御部３５は、ＲＯＭ３６に記憶保持された会計処理用アプリケーションプログラム３９がＣＰＵに読み込まれて実行されることにより会計処理部４６として機能する。ＲＡＭは、制御部３５が通信設定部４５や会計処理部４６として機能する際のワーキングメモリーとして使用される。
【００３２】
通信設定部４５は、識別情報取得部５１、情報取得部５２、および、設定部５３を有する。
【００３３】
識別情報取得部５１は、ＮＦＣ読取部３１を動作させて、ＮＦＣ読取部３１がＮＦＣタグ１２から読み取った情報を取得する。
【００３４】
情報取得部５２は、プリンター２が記憶部２０に記憶保持する識別情報とプリンター２のＭＡＣアドレスとをネットワーク４を介して取得する。より具体的には、情報取得部５２は、識別情報およびＭＡＣアドレスを要求する情報要求コマンドをネットワーク４にブロードキャストするコマンド送信部５５と、情報要求コマンドに対してネットワーク４上の各プリンター２から返信される識別情報とＭＡＣアドレスのセットを取得するセット情報取得部５６とを備える。
【００３５】
設定部５３は、通信端末３がＮＦＣタグ１２を読み取ったプリンター２との間の通信設定を行う。すなわち、設定部５３は、ＮＦＣタグ１２の読み取りによってＮＦＣ読取部３１を介して識別情報取得部５１が取得する識別情報と、情報取得部５２がネットワーク４を介して取得した識別情報及びＭＡＣアドレスのセットとを照合して、通信端末３がＮＦＣタグ１２を読み取ったプリンター２（接続対象のプリンター２）のＭＡＣアドレスが特定される。
【００３６】
ここで、設定部５３がプリンター２のＭＡＣアドレスが特定されると、設定部５３は、取得したＭＡＣアドレス宛に通信部４１を介して情報取得コマンドや通信設定コマンドを送信することが可能となる。従って、設定部５３は、取得したＭＡＣアドレスに基づき、通信端末３とプリンター２との間の通信設定を行うことができる。通信設定では、例えば、設定部５３はＭＡＣアドレス宛に情報取得コマンドを送信してプリンター２のネットワーク４上のＩＰアドレスを取得する。そして、設定部５３は、ＭＡＣアドレスおよびＩＰアドレスにより特定される送信先に通信設定コマンドを送信して、接続対象のプリンター２と通信端末３との間の通信設定を行う。通信設定が終了すると、設定部５３は、識別情報、ＭＡＣアドレス、および、ＩＰアドレスを対応付けて、これらを不揮発性メモリー４２のアドレス管理テーブル４３に登録する。
【００３７】
次に、会計処理部４６は、決済処理部５８と印刷データ送信部５９を備える。
【００３８】
決済処理部５８は、タッチパネル３２に会計処理用の操作画面を表示する。また、店員など通信端末３のオペレーターが操作画面から入力した商品情報や商品の販売数量に基づいて決済処理を行う。そして、決済処理部５８は、決済処理の処理結果である決済情報に基づいて印刷データを生成して、この印刷データは印刷データ送信部５９に取得される。
【００３９】
印刷データ送信部５９は、決済処理部５８から取得した印刷データをプリンター２に送信する。例えば、印刷データ送信部５９は、タッチパネル３２に、ネットワーク４を介して通信端末３と通信可能に接続されたプリンター２を表示する。そして、オペレーターがタッチパネル３２を操作してその中の一つのプリンター２を選択すると、選択されたプリンター２のＭＡＣアドレスまたはＩＰアドレスをアドレス管理テーブル４３から取得して、ＭＡＣアドレスまたはＩＰアドレスにより特定される送信先（選択したプリンター２）に印刷データを送信する。これにより選択したプリンター２からレシートを発行する。
【００４０】
また、印刷データ送信部５９は、決済処理が終了した直後にＮＦＣ読取部３１がＮＦＣタグ１２の読み取りを実行する場合には、読み取り対象のＮＦＣタグ１２が取り付けられたプリンター２に印刷データを送信して、このプリンター２からレシートを発行する。すなわち、印刷データ送信部５９は、ＮＦＣ読取部３１がＮＦＣタグ１２を読み取ると、ＮＦＣタグ１２から取得した識別情報に基づいてアドレス管理テーブル４３を参照して、読み取り対象のＮＦＣタグ１２が取り付けられたプリンター２のＭＡＣアドレスまたはＩＰアドレスを取得する。そして、取得したＭＡＣアドレスまたはＩＰアドレスにより特定される送信先（読み取り対象のＮＦＣタグ１２が取り付けられたプリンター２）に印刷データを送信する。これにより、決済処理が終了した直後に、ＮＦＣ読取部３１によって読み取られるＮＦＣタグ１２が取り付けられたプリンター２から、レシートが発行される。
【００４１】
（通信設定動作）
図３はプリンター２と通信端末３の間の通信設定動作の説明図である。オペレーターが、新たに店舗内に設置されたプリンター２と通信端末３との間で通信設定を行う場合には、まず、通信端末３のＮＦＣ読取部３１を動作させて、通信端末３をプリンター２に接近させる（ステップＳＴ１）。これにより、通信端末３はＮＦＣタグを読み取り、プリンター２の識別情報を取得する（ステップＳＴ２、ステップＳＴ３）。また、これと並行して、通信端末３はネットワーク４に情報要求コマンドをブロードキャストする（ステップＳＴ４）。
【００４２】
プリンター２がネットワーク４を介して情報要求コマンドを受信すると、当該プリンター２は、その記憶部２０に記憶保持する識別情報と当該プリンター２のＭＡＣアドレスとを通信端末３に返信する（ステップＳＴ５）。プリンター２が返信するＭＡＣアドレスは、プリンター２において情報要求コマンドが供給されたネットワーク４に接続している第１通信部１６（無線ＬＡＮ用ドングル２３）のＭＡＣアドレスである。
【００４３】
ここで、情報要求コマンドはブロードキャストされるので、通信端末３はネットワーク４上の複数のプリンター２から、それぞれ識別情報とＭＡＣアドレスとを受信する。従って、通信端末３は、ＮＦＣタグ１２から読み取った識別情報とネットワーク４を介して取得した識別情報及びＭＡＣアドレスを照合して、ステップＳＴ２にて通信端末３によってタグが読み取られたプリンター２のＭＡＣアドレスを特定して、このＭＡＣアドレスを取得する（ステップＳＴ６）。その後、通信端末３は、ステップＳＴ６にて取得されるＭＡＣアドレスにより特定される送信先に情報取得コマンドおよび通信設定コマンドを送信し、また、プリンター２からの応答コマンドを受信して、プリンター２との間の通信設定を行う（ステップＳＴ７、ステップＳＴ８）。これにより、通信端末３とプリンター２の通信が確立される。その後、通信端末３は、アドレス管理テーブル４３に、プリンター２の識別情報、ＭＡＣアドレス、および、ＩＰアドレスを対応づけた形態で登録する。
【００４４】
ここで、通信端末３がプリンター２のＮＦＣタグ１２から取得する識別情報は、プリンターの通信設定を行うために必要な無線ＬＡＮ用ドングル２３のＭＡＣアドレスではなく、ネットワーク４を介して取得されるＭＡＣアドレスが、接続対象のプリンター２のＭＡＣアドレスであるか否かを特定するために用いられる情報である。従って、修理などによって無線ＬＡＮ用ドングル２３が交換された場合でも、ＮＦＣタグ１２を貼り替えるなどして、ＮＦＣタグ１２の識別情報を変更する必要がない。また、無線ＬＡＮ用ドングル２３を交換した場合でも、ＮＦＣタグ１２から読み取った識別情報に基づいて、接続対象のプリンター２のＭＡＣアドレス（交換後の無線ＬＡＮ用ドングル２３のＭＡＣアドレス）を特定できるので、特定したＭＡＣアドレスに基づいて通信設定を行えば、通信端末３とプリンター２の間の通信を確立できる。
【００４５】
さらに、本例では、プリンター２の情報送信部２８は、情報要求コマンドの供給を受けたネットワーク４に接続された通信部材（無線ＬＡＮ用ドングル２３またはネットワークカード２４）のＭＡＣアドレスを送信する。これにより、プリンター２からはネットワーク４を介する通信端末３との接続に必要なＭＡＣアドレスが送信されるので、通信端末３とプリンター２との間の通信設定を行うことが容易である。
【００４６】
なお、ＮＦＣタグ１２に、識別情報ではなく、ＭＡＣアドレスを記憶する場合には、プリンター２が複数の通信部材を備えるときに、ＮＦＣタグ１２に複数のＭＡＣアドレスを記憶させる必要がある。これに対して、本例では、ＮＦＣタグ１２には、１つの識別情報を記憶させるだけでよい。また、ＮＦＣタグ１２に複数のＭＡＣアドレスを記憶させた場合には、何れのＭＡＣアドレスが通信端末３との接続に必要なものなのかを判断することが困難であるが、本例では、通信設定に必要なＭＡＣアドレスがプリンター２から通信端末３に送信されるので、通信端末３とプリンター２との間の通信設定を行うことが容易である。
【００４７】
（会計動作）
次に、会計処理を行う際には、店員などのオペレーターは、タッチパネル３２に表示した操作画面から商品情報や商品の販売数量を通信端末３に入力して、決済処理を行う。これにより、通信端末３ではレシートを発行するための印刷データが生成される。
【００４８】
ここで、オペレーターが、操作画面に表示されたプリンター２を選択すると、印刷データは通信端末３から選択されたプリンター２に送信される。従って、選択されたプリンター２からレシートが発行される。また、ここで、オペレーターが通信端末３のＮＦＣ読取部３１によって近くにあるプリンター２のＮＦＣタグ１２を読み取ると、印刷データは通信端末３からＮＦＣタグ１２を読み取ったプリンター２に送信される。これにより、ＮＦＣタグ１２を読み取ったプリンター２からレシートが発行される。
【００４９】
（その他の実施の形態）
上記の例では、識別情報は製造番号であるが、識別情報はネットワーク４に接続される各プリンター２に固有に割り当てた情報であればよい。また、上記の例では、識別情報を記憶するタグとしてＮＦＣタグ１２を用いているが、識別情報がバーコードの形態で記録されたタグを用いることもできる。この場合、通信端末３は、読取部としてカメラなどのバーコードリーダーを備えるものとすることができる。
【００５０】
また、上記の例では、情報要求コマンドは、ネットワーク４を介してプリンター２の制御部１５に供給されるが、オペレーターがプリンター２に設けられたスイッチを操作したときに、プリンター２の制御部１５に情報要求コマンドが供給されるようにしてもよい。
【符号の説明】
【００５１】
１・・ＰＯＳシステム（印刷システム）、２・・プリンター、３・・通信端末、４・・ネットワーク、６・・無線ＬＡＮ、７・・アクセスポイント、８・・有線ＬＡＮ、１１・・ケース、１２・・ＮＦＣタグ（タグ）、１５・・プリンターの制御部、１６・・第１通信部、１７・・第２通信部、１８・・印刷ヘッド、１９・・搬送モーター、２０・・記憶部（プリンターの記憶部）、２３・・無線ＬＡＮ用ドングル（通信部材）、２４・・ネットワークカード（通信部材）、２７・・印刷制御部、２８・・情報送信部、３１・・ＮＦＣ読取部（読取部）、３２・・タッチパネル、３５・・通信端末の制御部、３８・・通信設定用アプリケーションプログラム、３９・・会計処理用アプリケーションプログラム、４１・・通信部、４２・・不揮発性メモリー（通信端末の記憶部）、４３・・アドレス管理テーブル、４５・・通信設定部、４６・・会計処理部、５１・・識別情報取得部、５２・・情報取得部、５３・・設定部、５５・・コマンド送信部、５６・・セット情報取得部、５８・・決済処理部、５９・・印刷データ送信部
【図１】
0006540313.tif 000002
【図２】
0006540313.tif 000003
【図３】
0006540313.tif 000004